(57)【要約】【課題】ビンディング調整作業の際、スキーブーツの代わりに用いて調整作業を行うことができるスキービンディング調整治具を提供することを目的とする。【解決手段】本体部１と、この本体部１の先端部に設けられるトウピース係合部２と、本体部１の後端部に移動自在に設けられるヒールピース係合部３と、を備え、トウピース係合部２若しくはヒールピース係合部３には、使用に適合するスキーブーツ製品名又はスキーブーツメーカー名が設けられる適合ブーツ表示部４が設けられていて、本体部１には、適合ブーツ表示部４に設けられたスキーブーツ製品名又はスキーブーツメーカー名のスキーブーツ30の各サイズに対応する複数の位置合わせ用指標部５からなる位置合せ表示部６が設けられている。【選択図】図１
2019162224.tif 000002
【特許請求の範囲】
【請求項１】
スキー板に取り付けられているビンディングを使用者のスキーブーツに適した状態に調整する際に、スキーブーツの代わりに用いてビンディングを調整することができるスキービンディング調整治具であって、本体部と、この本体部の長手方向一側に設けられビンディング調整時にこのビンディングのトウピース部に係合されるトウピース係合部と、前記本体部の長手方向他側に該本体部に沿って移動自在に設けられビンディング調整時にこのビンディングのヒールピース部に係合されるヒールピース係合部と、を備え、前記トウピース係合部若しくは前記ヒールピース係合部には、使用に適合するスキーブーツ製品名又はスキーブーツメーカー名が設けられる適合ブーツ表示部が設けられていて、前記本体部には、前記適合ブーツ表示部に設けられた前記スキーブーツ製品名又は前記スキーブーツメーカー名のスキーブーツの各サイズに対応する複数の位置合わせ用指標部からなる位置合せ表示部が設けられていて、前記ヒールピース係合部を前記トウピース係合部に対して相対移動させて前記使用者のスキーブーツのサイズの位置合わせ用指標部に位置合わせすることで、前記トウピース係合部の先端から前記ヒールピース係合部の先端までの距離が前記使用者のスキーブーツのソールサイズと同じ長さに設定されるように構成されていることを特徴とするスキービンディング調整治具。
【請求項２】
前記適合ブーツ表示部には、使用に適合するスキーブーツ製品名又はスキーブーツメーカー名が複数設けられていて、前記本体部には、この適合ブーツ表示部に設けられている各スキーブーツ製品名又は各スキーブーツメーカー名のスキーブーツに夫々対応する複数の前記位置合せ表示部が設けられていることを特徴とする請求項１記載のスキービンディング調整治具。
【請求項３】
前記位置合わせ用指標部は、ブーツサイズ毎に異なる色に着色されていることを特徴とする請求項１，２のいずれか１項に記載のスキービンディング調整治具。
【請求項４】
前記適合ブーツ表示部と、前記位置合せ表示部とが一直線上に配置されていることを特徴とする請求項１〜３のいずれか１項に記載のスキービンディング調整治具。
【請求項５】
前記トウピース係合部の先端部には、前記トウピース部に嵌合するトウ側コバ部が設けられており、前記ヒールピース係合部の先端部には、前記ヒールピース部に嵌合するヒール側コバ部が設けられていることを特徴とする請求項１〜４のいずれか１項に記載のスキービンディング調整治具。
【発明の詳細な説明】
【技術分野】
【０００１】
本発明は、スキー板に取り付けられているビンディングを使用者のスキーブーツに適した状態に調整する際に、スキーブーツの代わりに用いるスキービンディング調整治具に関するものである。
【背景技術】
【０００２】
レンタルスキーは、使用者にスキー板を貸し出す際に、このスキー板に取り付けられているビンディングを使用者が履くスキーブーツのサイズ（ソールサイズ）に応じた適正な状態に調整する作業を行っている。
【０００３】
従来、このビンディング調整作業では、使用者が履くレンタル用のスキーブーツと同型・同サイズのスキーブーツをビンディングにセットし、トウピース部、ヒールピース部のいずれか若しくは双方の位置を移動させて、ビンディングのトウピース部とヒールピース部との間隔を使用者が履くスキーブーツのサイズに応じた適正な間隔に調整していた。
【発明の概要】
【発明が解決しようとする課題】
【０００４】
しかしながら、上述した従来の調整方法では、ビンディングを調整する際に、使用者が履くスキーブーツと同型・同サイズのスキーブーツをビンディングにセットする必要があるため、作業場所にレンタルするスキーブーツのスキーブーツ製品毎に全サイズ分のスキーブーツを調整用として別途準備しておかなくてはならなかった。
【０００５】
そのため、これら多数の調整用スキーブーツを保管しておく保管スペースが必要となっていたが、スペースが限られた作業場内では、この多数の調整用スキーブーツを保管するための広い保管スペースの確保は非常に困難なものであった。
【０００６】
本発明は、このような従来の問題点に鑑みなされたもので、レンタルするスキーブーツのスキーブーツ製品毎に夫々全サイズ分の調整用スキーブーツを準備することなく、ビンディングを使用者が履くスキーブーツのサイズ（ソールサイズ）に応じた適正な状態に調整することができるスキービンディング調整治具を提供することを目的とする。
【課題を解決するための手段】
【０００７】
添付図面を参照して本発明の要旨を説明する。
【０００８】
スキー板10に取り付けられているビンディングを使用者のスキーブーツ30に適した状態に調整する際に、スキーブーツ30の代わりに用いてビンディングを調整することができるスキービンディング調整治具であって、本体部１と、この本体部１の長手方向一側に設けられビンディング調整時にこのビンディングのトウピース部20に係合されるトウピース係合部２と、前記本体部１の長手方向他側に該本体部１に沿って移動自在に設けられビンディング調整時にこのビンディングのヒールピース部21に係合されるヒールピース係合部３と、を備え、前記トウピース係合部２若しくは前記ヒールピース係合部３には、使用に適合するスキーブーツ製品名又はスキーブーツメーカー名が設けられる適合ブーツ表示部４が設けられていて、前記本体部１には、前記適合ブーツ表示部４に設けられた前記スキーブーツ製品名又は前記スキーブーツメーカー名のスキーブーツ30の各サイズに対応する複数の位置合わせ用指標部５からなる位置合せ表示部６が設けられていて、前記ヒールピース係合部３を前記トウピース係合部２に対して相対移動させて前記使用者のスキーブーツ30のサイズの位置合わせ用指標部５に位置合わせすることで、前記トウピース係合部２の先端から前記ヒールピース係合部３の先端までの距離が前記使用者のスキーブーツ30のソールサイズと同じ長さに設定されるように構成されていることを特徴とするスキービンディング調整治具に係るものである。
【０００９】
また、前記適合ブーツ表示部４には、使用に適合するスキーブーツ製品名又はスキーブーツメーカー名が複数設けられていて、前記本体部１には、この適合ブーツ表示部４に設けられている各スキーブーツ製品名又は各スキーブーツメーカー名のスキーブーツ30に夫々対応する複数の前記位置合せ表示部６が設けられていることを特徴とする請求項１記載のスキービンディング調整治具に係るものである。
【００１０】
また、前記位置合わせ用指標部５は、ブーツサイズ毎に異なる色に着色されていることを特徴とする請求項１，２のいずれか１項に記載のスキービンディング調整治具に係るものである。
【００１１】
また、前記適合ブーツ表示部４と、前記位置合せ表示部６とが一直線上に配置されていることを特徴とする請求項１〜３のいずれか１項に記載のスキービンディング調整治具に係るものである。
【００１２】
また、前記トウピース係合部２の先端部には、前記トウピース部20に嵌合するトウ側コバ部２Ａが設けられており、前記ヒールピース係合部３の先端部には、前記ヒールピース部21に嵌合するヒール側コバ部３Ａが設けられていることを特徴とする請求項１〜４のいずれか１項に記載のスキービンディング調整治具に係るものである。
【発明の効果】
【００１３】
本発明は上述のように構成したから、レンタルするスキーブーツのスキーブーツ製品毎に全サイズ分のスキーブーツを調整用として別途準備する必要がなくなり、これにより、これらを保管するための広い保管スペースを作業場（例えばレンタルスキーショップ内）に確保する必要がなくなる。
【図面の簡単な説明】
【００１４】
【図１】本実施例を示す説明斜視図である。
【図２】本実施例を示す説明平面図である。
【図３】本実施例の要部を示す説明平面図である。
【図４】本実施例の使用状態を示す説明図である。
【図５】識別用色目印部を設けたスキーブーツを示す説明斜視図である。
【発明を実施するための形態】
【００１５】
好適と考える本発明の実施形態を、図面に基づいて本発明の作用を示して簡単に説明する。
【００１６】
本発明は、適合ブーツ表示部４にスキーブーツ30の個別の製品名又はそのスキーブーツ30のメーカー名が設けられており、この適合ブーツ表示部４に設けられている（表示されている）個別の製品名のスキーブーツ30又は個別のスキーブーツメーカーのスキーブーツ30に対応する位置合せ表示部６が本体部１に設けられている。
【００１７】
具体的には、例えば、レンタルスキーショップで使用する場合、そのショップが、ＡＢＣ社製（スキーブーツメーカー）の製品名：Ｘ１２３と、ＤＥＦ社製の製品名：Ｙ４５６との二種類のスキーブーツ30を備えている場合、適合ブーツ表示部４には、Ｘ１２３とＹ４５６の二つの製品名が表示され、本体部１には、このＡＢＣ社製の製品名：Ｘ１２３の各ブーツサイズに対応する複数の位置合わせ用指標部５からなる位置合せ表示部６と、ＤＥＦ社製の製品名：Ｙ４５６の各ブーツサイズに対応する複数の位置合わせ用指標部５からなる位置合せ表示部６との二つの位置合せ表示部６が設けられることとなる。
【００１８】
即ち、スキーブーツ30は、スキーブーツメーカーによって、或いは、スキーブーツメーカーは同じでも製品によって、ブーツサイズが同じでも、ソールサイズ（ソール長）が異なる場合があり、例えば、ＡＢＣ社製の製品名：Ｘ１２３のブーツサイズが２５ｃｍのスキーブーツ30は、ソールサイズが２９４ｍｍに設定されており、ＤＥＦ社製の製品名：Ｙ４５６のブーツサイズが２５ｃｍのスキーブーツ30は、ソールサイズが３００ｍｍに設定されているといった具合に、同じブーツサイズでもソールサイズが異なっているものがある。
【００１９】
ゆえに、本発明は、そのレンタルスキーショップが備えるスキーブーツ30に対応する一つい或いは複数の位置合せ表示部６を本体部１に設け、使用者が履く（レンタルする）スキーブーツ30と同じ製品名に対応する位置合せ表示部６を用いてビンディングを調整することで、一々ソールサイズを確認することなく、ビンディングを使用者が履くスキーブーツ30のソールサイズに適した状態に調整することができる。
【００２０】
具体的には、本発明を用いてビンディング調整作業を行う場合は、先ず、スキー板10を使用する使用者が履くスキーブーツ30のスキーブーツ製品名又はスキーブーツメーカー名を確認し、この確認したスキーブーツ製品名又はスキーブーツメーカー名と同じスキーブーツ製品名又はスキーブーツメーカー名が適合ブーツ表示部４に表示されていることを確認すると共に、使用者が履くスキーブーツ30のサイズを確認する。
【００２１】
次いで、ヒールピース係合部３をトウピース係合部２に対して相対移動させて、このヒールピース係合部３を、適合ブーツ表示部４の使用者が履くスキーブーツ30のスキーブーツ製品名又はスキーブーツメーカー名に対応する位置合せ表示部６に設けられている複数の位置合わせ用指標部５の中の先に確認した使用者が履くスキーブーツ30の製品名（スキーブーツメーカー名）に対応する位置合わせ用指標部５の中の確認した使用者が履くスキーブーツ30のブーツサイズが示される位置合わせ用指標部５に位置合わせする。
【００２２】
これにより、トウピース係合部２の先端からヒールピース係合部３の先端までの距離（間隔）が、使用者が履くスキーブーツ30のソールサイズ（ソール長）と同じ長さ（寸法）に設定される。
【００２３】
即ち、このトウピース係合部２の先端からヒールピース係合部３の先端までの距離（間隔）を、使用者が履くスキーブーツ30のソールサイズ（ソール長）と同じ長さ（寸法）に設定することで、本発明は、使用者が履くスキーブーツ30と同型、同サイズのスキーブーツ30の代わりにビンディング調整時にビンディング（トウピース部20とヒールピース部21との間）にセットするスキーブーツ代用品（スキービンディング調整治具）になり、本発明をスキーブーツ30の代わりにビンディングにセットすることで、スキーブーツ30を用いなくてもビンディング（トウピース部20とヒールピース部21との間隔）を使用者が履くスキーブーツ30に適した間隔に調整することができる。
【００２４】
これにより、例えば、レンタルスキーショップで使用すれば、レンタルするスキーブーツのスキーブーツ製品毎に全サイズ分のスキーブーツを調整用として別途準備する必要がなくなり、これらを保管するための広い保管スペースを作業場（ショップ内）に確保する必要がなくなり、空いたスペースを有効利用することができる。
【実施例】
【００２５】
本発明の具体的な実施例について図面に基づいて説明する。
【００２６】
本実施例は、スキー板10に取り付けられているビンディングを使用者のスキーブーツ30に適した状態に調整する際に、前記スキーブーツ30の代わりに用いるスキービンディング調整治具である。
【００２７】
具体的には、本体部１と、この本体部１の長手方向一側に設けられビンディング調整時にこのビンディングのトウピース部20に係合されるトウピース係合部２と、前記本体部１の長手方向他側に該本体部１に沿って移動自在に設けられビンディング調整時にこのビンディングのヒールピース部21に係合されるヒールピース係合部３と、を備え、前記トウピース係合部２若しくは前記ヒールピース係合部３には、使用に適合するスキーブーツ製品名又はスキーブーツメーカー名が設けられる適合ブーツ表示部４が設けられていて、前記本体部１には、前記適合ブーツ表示部４に設けられた前記スキーブーツ製品名又は前記スキーブーツメーカー名のスキーブーツ30の各サイズに対応する複数の位置合わせ用指標部５が設けられている位置合せ表示部６が設けられていて、前記ヒールピース係合部３を前記トウピース係合部２に対して相対移動させて前記使用者のスキーブーツ30のサイズの位置合わせ用指標部５に位置合わせすることで、前記トウピース係合部２の先端から前記ヒールピース係合部３の先端までの距離が前記使用者のスキーブーツ30のソールサイズと同じ長さに設定されるように構成されているものである。
【００２８】
より具体的には、本実施例は、長方形に形成された扁平板状体からなる本体部１と、この本体部１の先端部に位置決め状態に設けられるトウピース係合部２と、後端部にこの本体部１の長手方向に沿ってスライド移動自在に設けられるヒールピース係合部３とからなる構成とされている。
【００２９】
また、トウピース係合部２は、先端部の下部側にスキーブーツ30のトウコバと略同形状に形成されるトウ側コバ部２Ａが設けられていて、スキーブーツ30と同様にビンディングのトウピース部20に嵌め込み係合可能に構成され、ヒールピース係合部３は、トウピース係合部２と同様、先端部の下部側にスキーブーツ30のヒールコバと略同形状に形成されるヒール側コバ部３Ａが設けられていて、ビンディングのヒールピース部21に嵌め込み係合可能に構成されている。
【００３０】
即ち、本実施例は、スキーブーツ30と同様にビンディングに装着できる構成とされている。
【００３１】
また、本実施例のヒールピース係合部３は、位置決めスライド機構（図示省略）により１ｍｍ単位で位置決め自在にスライド移動する構成とされると共に、このヒールピース係合部３のスライド移動を不能にして位置決め（固定）状態にするロック機構（図示省略）を備える構成とされていて、ビンディング調整作業時は、このロック機構を解除しスライド移動させて、目的の位置合わせ用指標部５まで移動させて位置合わせした後、ロック機構を作動させて位置決め状態にする構成とされている。
【００３２】
また、適合ブーツ表示部４は、ヒールピース係合部３の上面部に設けられていて、この適合ブーツ表示部４には、使用に適合する複数の特定のスキーブーツ製品名又はスキーブーツメーカー名がトウピース係合部２の幅方向に沿って並設状態に設けられており、本実施例では、図示するように、製品名がＸ１２３（ＡＢＣはメーカー名）のスキーブーツ30、製品名がＹ４５６（ＤＥＦはメーカー名）のスキーブーツ30、製品名がＺ７８９（ＧＨＩはメーカー名）のスキーブーツ30の３タイプのスキーブーツ30に対応することが可能であることを示す三種類のスキーブーツ製品名が表示されている。
【００３３】
また、本実施例では、本体部１に、この適合ブーツ表示部４に設けられている（表示されている）３タイプのスキーブーツ30に夫々対応する三つの位置合せ表示部６が設けられている。
【００３４】
具体的には、ＡＢＣ社製の製品名：Ｘ１２３のスキーブーツ30に対応する位置合せ表示部６Ａと、ＤＥＦ社製の製品名：Ｙ４５６のスキーブーツ30に対応する位置合せ表示部６Ｂと、ＧＨＩ社製の製品名：Ｚ７８９のスキーブーツ30に対応する位置合せ表示部６Ｃが設けられていて、Ｘ１２３用の位置合せ表示部６Ａは、適合ブーツ表示部４に表示される製品名：Ｘ１２３と一直線上となる位置に配置され、Ｙ４５６用の位置合せ表示部６Ｂは、同様に製品名：Ｙ４５６と一直線上となる位置に配置され、Ｚ７８９用の位置合せ表示部６Ｃは、製品名：Ｚ７８９と一直線上となる位置に配置され、夫々がどの製品名のスキーブーツ30に対応する位置合せ表示部６であるかを容易に認識できるように構成されている。
【００３５】
即ち、例えば、ＡＢＣ社製の製品名：Ｘ１２３のスキーブーツ30をレンタルする場合は、適合ブーツ表示部４に表示されるＸ１２３と一直線上に配置される位置合せ表示部６Ａを用い、また、例えば、ＤＥＦ社製の製品名：Ｙ４５６のスキーブーツ30をレンタルする場合は、適合ブーツ表示部４に表示されるＹ４５６と一直線上に配置される位置合せ表示部６Ｂを用いることで、トウピース係合部２とヒールピース係合部３との間隔が、そのサイズのスキーブーツ30のソールサイズ（ソール長）と同じ長さに設定されるように構成されている。
【００３６】
また更に、本実施例の各位置合せ表示部６を構成する各位置合わせ用指標部５は、例えば、２５ｃｍに対応する位置合わせ用指標部５は赤色、２６ｃｍに対応する位置合わせ用指標部５は青色という具合に、各位置合わせ用指標部５がブーツサイズ値毎に異なる色に着色されている。尚、図中では色分けが困難であるため、異なる色を表現するため斜線、横線、ドット等を付して色分けを表現している。
【００３７】
即ち、例えば、レンタルスキーショップで使用する場合、各位置合せ表示部６の各位置合わせ用指標部５に着色されている色と同じ色が着色された識別用色目印部31を、レンタル用のスキーブーツ30の所定箇所に設ければ、ビンディングを調整する際、そのレンタル用のスキーブーツ30に設けられている識別用色目印部31の色を確認し、この色と同じ色の位置合わせ用指標部５にヒールピース係合部３を合わせることで、一々ブーツサイズを確認しなくても、本実施例のトウピース部20とヒールピース部21の間隔を目的の間隔（使用者が履くスキーブーツ30のソールサイズ）に設定することができるように構成されている。
【００３８】
以上のように構成される本実施例は、前述のとおり、レンタルスキーショップでの使用に特に適している。よって、以下にレンタルスキーショップにおける本実施例の使用方法（利用方法）の一例を説明する。
【００３９】
先ず、レンタルスキーショップ内で事前に必要な準備について説明する。
【００４０】
事前準備としては、各レンタル用スキーブーツ30の所定位置（視認し易い位置、例えばバックルの一部）に、位置合せ表示部６の各サイズに対応する位置合わせ用指標部５の色と同じ色が着色された識別用色目印部31を設けておく（例えば、２５ｃｍに対応する位置合わせ用指標部５の色が赤色であれば、製品名に関係なく２５ｃｍのスキーブーツ30の識別用色目印部31には赤色を着色するといった具合に。）。
【００４１】
次に、本実施例を用いたビンディング調整方法について、レンタルスキーショップ内に備えているレンタル用スキー板10とレンタル用スキーブーツ30を貸し出す際に、貸し出しするレンタル用スキー板10に取り付けられているビンディングを、使用者（借用者）が履く（借りる）レンタル用スキーブーツ30に合わせて調整する場合を例にして説明する。
【００４２】
先ず、本実施例のトウピース係合部２とヒールピース係合部３との間隔を、使用者が履くレンタル用スキーブーツ30のソールサイズと同じ長さに設定する。
【００４３】
具体的には、使用者が履くレンタル用スキーブーツ30の製品名と識別用色目印部31の色を確認し、ヒールピース係合部３のロック機構を解除し移動可能な状態にして、このヒールピース係合部３を、適合ブーツ表示部４に表示されるこの製品名と一直線上に配置される位置合せ表示部６の識別用色目印部31の色と同じ色に着色されている位置合わせ用指標部５に位置合わせした後、ロック機構を作動させて位置決め状態にして、トウピース係合部２とヒールピース係合部３との間隔を、使用者が履くレンタル用スキーブーツ30のソールサイズと同じ長さに設定する。
【００４４】
次に、このトウピース係合部２とヒールピース係合部３との間隔を、使用者が履くレンタル用スキーブーツ30のソールサイズと同じ長さに設定した本実施例を、貸し出しするレンタル用スキー板10に取り付けられているビンディングを、使用者（借用者）が履く（借りる）レンタル用スキーブーツ30に合わせて調整する。
【００４５】
具体的には、先ず、ビンディングのトウピース部20とヒールピース部21の間隔を広げ、本実施例のトウピース係合部２をトウピース部20に嵌め込んで本実施例をビンディングにセットする。
【００４６】
次に、例えば、ヒールピース部21をセットした本実施例に対して接近移動させて、当接状態となる位置で位置決めする。これにより、トウピース部20とヒールピース部21との間隔が、使用者（借用者）が履くレンタル用スキーブーツ30のソールサイズに合った間隔に調整される。
【００４７】
最後に、例えば、スキーブーツ30をビンディングに装着するのと同様、本実施例をビンディングに装着させて、ガタツキなどがないかを確認し、調整作業完了となる。
【００４８】
その後、ビンディングの開放値を使用者に適した開放値に設定し、ヒールピース部21とブレーキの動作確認を行い作業終了となり、使用者に貸し出しすることができる。
【００４９】
このように、本実施例は、極めて容易にトウピース係合部２とヒールピース係合部３の間隔を、使用者が履くレンタル用スキーブーツ30のソールサイズと同じ長さに合わせることができ、このスキーブーツ30に代わって、ビンディング調整作業に用いることができる。
【００５０】
これにより、レンタルするスキーブーツのスキーブーツ製品毎に全サイズ分のスキーブーツを調整用として別途準備する必要がなくなり、これらを保管するための広い保管スペースを作業場（レンタルスキーショップ内）に確保する必要がなくなり、空いたスペースを有効利用することができる。
【００５１】
尚、本発明は、本実施例に限られるものではなく、各構成要件の具体的構成は適宜設計し得るものである。
【符号の説明】
【００５２】
１  本体部
２  トウピース係合部
２Ａ  トウ側コバ部
３  ヒールピース係合部
３Ａ  ヒール側コバ部
４  適合ブーツ表示部
５  位置合わせ用指標部
６  位置合せ表示部
10  スキー板
20  トウピース部
21  ヒールピース部
30  スキーブーツ
【図１】
2019162224.tif 000003
【図２】
2019162224.tif 000004
【図３】
2019162224.tif 000005
【図４】
2019162224.tif 000006
【図５】
2019162224.tif 000007